(57)【要約】【課題】端末装置の利便性を向上させること。【解決手段】ユーザによる操作を受け付ける操作部と、音を出力する音出力部と、音を集音する集音部と、ユーザにより前記操作部に対して所定の操作がなされたときに、音声帯域の周波数を有する操作信号を前記音出力部に出力させる出力制御部と、前記音出力部により出力され、前記集音部により集音された操作信号を解釈して自装置に対する制御信号を生成する信号解釈部と、備える端末装置。【選択図】図２
2014165744.tif 000002
【特許請求の範囲】
【請求項１】
ユーザによる操作を受け付ける操作部と、
音を出力する音出力部と、
音を集音する集音部と、
ユーザにより前記操作部に対して所定の操作がなされたときに、音声帯域の周波数を有する操作信号を前記音出力部に出力させる出力制御部と、
前記音出力部により出力され、前記集音部により集音された操作信号を解釈して自装置に対する制御信号を生成する信号解釈部と、
を備える端末装置。
【請求項２】
請求項１記載の端末装置であって、
他装置から前記操作信号を受信する受信部と、
前記信号解釈部が、前記受信部が受信した操作信号を解釈して自装置に対する制御信号を生成したときに、該制御信号を再度生成するための情報を記憶部に記憶させる情報保持制御部と、を備え、
前記出力制御部は、ユーザにより前記操作部に対して所定の操作がなされたときに、前記記憶部に記憶された情報に基づき前記操作信号を前記音出力部に出力させる、
端末装置。
【請求項３】
電話機能を有する請求項２項記載の端末装置であって、
前記情報保持制御部は、前記操作信号の発信を電子電話帳に登録し、
前記出力制御部は、ユーザにより前記電子電話帳における前記操作信号の発信操作がなされたときに、前記記憶部に記憶された情報に基づき前記操作信号を前記音出力部に出力させる、
端末装置。
【請求項４】
請求項２または３記載の端末装置であって、
前記情報保持制御部は、前記制御信号を再度生成するための情報を記憶部に記憶させるか否かを、前記操作部を介してユーザに選択させる、
端末装置。
【請求項５】
ユーザによる操作を受け付ける操作部と、
他装置から音声帯域の周波数を有する操作信号を受信する受信部と、
前記操作信号を解釈して自装置に対する制御を行い、該制御を再度実行するための情報を記憶部に記憶させ、ユーザにより前記操作部に対して所定の操作がなされたときに、前記記憶部に記憶された情報に基づき前記制御を再度行う制御部と、
を備える端末装置。
【請求項６】
電子電話帳と、
自装置に対する制御信号を生成する信号生成部と、
前記信号生成部が自装置に対する制御信号を生成したときに、該制御信号を再度生成する指示を受け付けるための項目を、前記電子電話帳に追加する電話帳登録部と、
を備える端末装置。
【請求項７】
ユーザによる操作を受け付ける操作部と、音を出力する音出力部と、音を集音する集音部とを備える端末装置に、
ユーザにより前記操作部に対して所定の操作がなされたときに、音声帯域の周波数を有する操作信号を前記音出力部に出力させ、
前記音出力部により出力され、前記集音部により集音された操作信号を解釈して自装置に対する制御信号を生成させる、
端末装置の制御プログラム。
【請求項８】
ユーザによる操作を受け付ける操作部を備える端末装置に、
他装置から音声帯域の周波数を有する操作信号を受信させ、
前記操作信号を解釈して自装置に対する制御信号を生成させ、
該制御信号が生成されたときに、該制御信号を再度生成するための情報を記憶部に記憶させ、
ユーザにより前記操作部に対して所定の操作がなされたときに、前記記憶部に記憶された情報に基づき前記制御信号を再度生成させる、
端末装置の制御プログラム。
【発明の詳細な説明】
【技術分野】
【０００１】
本発明は、端末装置、および端末装置の制御プログラムに関する。
【背景技術】
【０００２】
従来、機器間で音声回線を通じてＤＴＭＦ（Dual―Tone  Multi―Frequency）信号（或いはトーン信号、プッシュ信号）を送受信することにより、遠隔操作が行われている。例えば、携帯電話からコールセンターに電話をかけたときに、ユーザが音声案内に応じて携帯電話に数字や記号を入力すると、ＤＴＭＦ信号がコールセンターなどに送信され、コールセンターにおいてサービス選択などの処理が行われる。また、サービスサーバから携帯電話に対してＤＴＭＦ信号が送信され、サービスサーバのオペレータが遠隔操作によって携帯電話の機能設定などを行うことも可能である。
【０００３】
これに関連し、特許文献１には、キーコードの入力に応じて、通信処理を行う通信処理手段を備えた通信端末装置を、別の通信端末装置が遠隔操作するリモート操作方式について記載されている。この方式では、一方の通信端末装置は、キーコードおよびリモート命令を入力する入力手段と、キーコードを対応するＤＴＭＦ信号に変換する信号変換手段と、ＤＴＭＦ信号およびリモート命令を、回線を介して順次に送出する送信手段とを備える。他方の通信端末装置は、回線からのＤＴＭＦ信号およびリモート命令を受信する受信手段と、ＤＴＭＦ信号を対応するキーコードに変換するコード変換手段と、リモート命令に応じて、入力手段からのキーコードの代わりに、コード変換手段で得られたキーコードを通信処理手段に入力する入力制御手段とを備える。
【０００４】
また、特許文献２には、遠隔制御情報をＤＴＭＦ信号で送信する電話機または携帯電話機と、ＤＴＭＦ信号を受信する受信用携帯電話機と、受信用携帯電話機から音声出力されたＤＴＭＦ信号を電気信号に変換するマイクロフォンと、ＤＴＭＦ信号をディジタル制御信号に変換するＤＴＭＦ信号変換手段と、このディジタル制御データを被制御機器の制御信号にデコードするデコード手段とを備える遠隔制御システムについて記載されている。
【先行技術文献】
【特許文献】
【０００５】
【特許文献１】特開平６−３７９６２号公報
【特許文献２】特開２０００−１９６７６８号公報
【発明の概要】
【発明が解決しようとする課題】
【０００６】
しかしながら、従来の装置やシステムにおいては、ＤＴＭＦ信号のように音声帯域の周波数を有する操作信号に基づく自装置に対する制御信号を、ユーザの操作に応じて生成することについて考慮がなされていなかった。このため、例えば他装置から遠隔操作を受けた後に同じ遠隔操作を再現することができず、利便性が低下する場合があった。
【０００７】
本発明は、このような事情を考慮してなされたものであり、端末装置の利便性を向上させることを目的の一つとする。
【課題を解決するための手段】
【０００８】
本発明の一態様は、ユーザによる操作を受け付ける操作部と、音を出力する音出力部と、音を集音する集音部と、ユーザにより前記操作部に対して所定の操作がなされたときに、音声帯域の周波数を有する操作信号を前記音出力部に出力させる出力制御部と、前記音出力部により出力され、前記集音部により集音された操作信号を解釈して自装置に対する制御信号を生成する信号解釈部と、を備える端末装置である。
本発明の一態様において、他装置から前記操作信号を受信する受信部と、前記信号解釈部が、前記受信部が受信した操作信号を解釈して自装置に対する制御信号を生成したときに、該制御信号を再度生成するための情報を記憶部に記憶させる情報保持制御部と、を備え、前記出力制御部は、ユーザにより前記操作部に対して所定の操作がなされたときに、前記記憶部に記憶された情報に基づき前記操作信号を前記音出力部に出力させるものとしてもよい。
電話機能を有する本発明の一態様において、前記情報保持制御部は、前記操作信号の発信を電子電話帳に登録し、前記出力制御部は、ユーザにより前記電子電話帳における前記操作信号の発信操作がなされたときに、前記記憶部に記憶された情報に基づき前記操作信号を前記音出力部に出力させるものとしてよい。
本発明の一態様において、前記情報保持制御部は、前記制御信号を再度生成するための情報を記憶部に記憶させるか否かを、前記操作部を介してユーザに選択させるものとしてよい。
本発明の他の態様は、ユーザによる操作を受け付ける操作部と、他装置から音声帯域の周波数を有する操作信号を受信する受信部と、前記操作信号を解釈して自装置に対する制御信号を生成する信号解釈部と、前記信号解釈部が、前記受信部が受信した操作信号を解釈して自装置に対する制御信号を生成したときに、該制御信号を再度生成するための情報を記憶部に記憶させる情報保持制御部と、ユーザにより前記操作部に対して所定の操作がなされたときに、前記記憶部に記憶された情報に基づき前記制御信号を再度生成する再生制御部と、を備える端末装置である。
本発明の他の態様は、電子電話帳と、自装置に対する制御信号を生成する信号生成部と、前記信号生成部が自装置に対する制御信号を生成したときに、該制御信号を再度生成する指示を受け付けるための項目を、前記電子電話帳に追加する電話帳登録部と、を備える端末装置である。
本発明の他の態様は、ユーザによる操作を受け付ける操作部と、音を出力する音出力部と、音を集音する集音部とを備える端末装置に、ユーザにより前記操作部に対して所定の操作がなされたときに、音声帯域の周波数を有する操作信号を前記音出力部に出力させ、前記音出力部により出力され、前記集音部により集音された操作信号を解釈して自装置に対する制御信号を生成させる、端末装置の制御プログラムである。
本発明の他の態様は、ユーザによる操作を受け付ける操作部を備える端末装置に、他装置から音声帯域の周波数を有する操作信号を受信させ、前記操作信号を解釈して自装置に対する制御信号を生成させ、該制御信号が生成されたときに、該制御信号を再度生成するための情報を記憶部に記憶させ、ユーザにより前記操作部に対して所定の操作がなされたときに、前記記憶部に記憶された情報に基づき前記制御信号を再度生成させる、端末装置の制御プログラムである。
【発明の効果】
【０００９】
本発明の一態様によれば、端末装置の利便性を向上させることができる。
【図面の簡単な説明】
【００１０】
【図１】第１実施形態の端末装置１の通信環境を示す図である。
【図２】第１実施形態の端末装置１の機能構成の一例を示す構成図である。
【図３】第１実施形態に係る端末装置１により実行される処理の流れを示すフローチャートの一例である。
【図４】ＤＴＭＦ信号が登録された電話帳の表示画面の一例を示す図である。
【図５】第１実施形態に係る端末装置１により実行される処理の流れを示すフローチャートの一例である。
【図６】第２実施形態に係る端末装置２により実行される処理の流れを示すフローチャートの一例である。
【発明を実施するための形態】
【００１１】
以下、図面を参照し、本発明の端末装置、および端末装置の制御プログラムの実施形態について説明する。本発明の端末装置は、例えば、スマートフォンなどの携帯電話である。また、これに限らず、本発明の端末装置は、固定電話、タブレット端末、パーソナルコンピュータなど、種々の電子機器に適用することができる。なお、以下では、携帯電話である端末装置の音声通信機能についてのみ説明するが、端末装置はＩＰ（Internet   Protocol）通信機能に基づく電子メールの送受信機能、インターネット接続機能などを有してもよい。
【００１２】
＜第１実施形態＞
［概略、および構成］
図１は、第１実施形態の端末装置１の通信環境を示す図である。端末装置１は、無線基地局８０や交換機８５などを介して電話機９０などと通話する。電話機９０は、例えばコールセンター内の電話機であり、オペレータＯによって操作される。オペレータＯは、端末装置１から電話の着信を受けて、端末装置１のユーザからの依頼（例えば端末装置１の設定変更など）を聞くと、端末装置１を遠隔操作するためのＤＴＭＦ信号を、音声回線を用いて端末装置１に送信するように電話機９０を操作する。遠隔操作が依頼される内容としては、例えばＷｉ−Ｆｉ通信の設定や特定のアプリケーションプログラムの起動など、一般的なユーザにとって操作が煩雑または難解なものが想定される。
【００１３】
図２は、第１実施形態の端末装置１の機能構成の一例を示す構成図である。端末装置１は、例えば、無線通信部１０と、通話部２０と、スピーカ２２と、マイクロフォン２４と、操作部３０と、表示部３２と、ＤＴＭＦ判定部４０と、ＤＴＭＦ解釈部４２と、電話帳登録部４４と、制御部４６と、記憶部５０とを備える。
【００１４】
無線通信部１０は、送受信アンテナや符号化部、復号部などを備え、無線基地局８０との間で無線通信を行う。通話部２０は、例えばＡ／Ｄ変換器やＤ／Ａ変換器を備え、無線通信部１０から入力された信号を音声信号に変換してスピーカ２２に出力させたり、マイクロフォン２４が集音した音に基づく音声信号を無線通信用の信号に変換して無線通信部１０に出力したりする。
【００１５】
操作部３０と表示部３２は、例えばタッチパネルとして一体に構成される。また、操作部３０は、ボタンやスイッチなどを含んでもよい。操作部３０に対して行われたユーザの操作は制御部４６に出力され、表示部３２の表示内容は制御部４６によって決定される。
【００１６】
ＤＴＭＦ判定部４０は、通話部２０が入出力する音声に（無線通信部１０から入力された信号に基づく音声と、マイクロフォン２４に入力された音声の双方を含む）、ＤＴＭＦ信号が含まれるか否かを判定する。ＤＴＭＦ信号は、低群周波数と高群周波数の中からそれぞれ１つの周波数を選択し、低群周波数の正弦波と高群周波数の正弦波とを合成して出力される、音声帯域の周波数を有する信号（音声信号）である。ＤＴＭＦ信号は「０」〜「９」の数字と「＊」「＃」「Ａ」「Ｂ」「Ｃ」「Ｄ」という１６種類の信号を表すことができる。端末装置１では、例えば、これらの中の「Ａ」「Ｂ」「Ｃ」「Ｄ」を除いた１２種類（「０」〜「９」の数字と「＊」「＃」）を取り扱う。ユーザが上記１２種類のキーをタッチまたは押下すると、これに対応した周波数を合成したＤＴＭＦ信号が生成され、通話相手の電話機に送信される。
【００１７】
ＤＴＭＦ判定部４０は、例えば、入力された音声信号の一定時間分のデータに対して、互いに異なる周波数の成分について離散フーリエ変換（ＤＦＴ）を行い、これによって、ＤＴＭＦ信号で使用される各周波数成分の強度を検出する。ＤＴＭＦ判定部４０は、検出された各周波数成分の強度から、ＤＴＭＦ信号を受信したか否かを判定すると共に、受信したＤＴＭＦ信号の種類を判別して、ＤＴＭＦ解釈部４２に出力する。
【００１８】
ＤＴＭＦ解釈部４２は、ＤＴＭＦ判定部４０から入力されたＤＴＭＦ信号の種類を用いて、ＤＴＭＦ対応表記憶部５２に予め格納されているＤＴＭＦ対応表を検索し、端末装置１に対する制御信号を生成する。ＤＴＭＦ対応表には、ＤＴＭＦ信号の種類に対応した、端末装置１に対する制御の内容が記述されている。例えば、ＤＴＭＦ信号が「１０１０」であれば「Ｗｉ−Ｆｉ通信の設定をオンに変更する」といった関係が、ＤＴＭＦ対応表には記述されている。
【００１９】
電話帳登録部４４は、他装置（例えば電話機９０）からＤＴＭＦ信号を受信し、ＤＴＭＦ解釈部４２により制御信号が生成されたときに、受信したＤＴＭＦ信号を発信する項目を、電話帳データ記憶部５４に格納された電話帳に登録する。詳しくは、後述する。
【００２０】
制御部４６は、ＤＴＭＦ解釈部４２から入力された制御信号に従い、実際に制御を実行する。また、制御部４６は、上記の他、発着信制御や電話帳編集制御などを実行する。制御部４６は、例えばＯＳ（Operating  System）を含み、操作部３０に対してなされた操作の内容を各機能部に伝達したり、表示部３２に表示する内容を各機能部から受け付けたりする。
【００２１】
［遠隔操作の再生］
前述したように、実施形態の端末装置１は、ＤＴＭＦ信号を他装置から受信することで、遠隔操作を受けることができる。しかしながら、わざわざコールセンターなどに電話して遠隔操作を依頼するような制御は、手動で行おうとすると煩雑または難解であることが多い。従って、遠隔操作で設定してもらった状態が、何らかの原因で設定前の状態に戻ってしまった場合、再度コールセンターに電話する必要が生じる場合がある。この結果、利便性が低下してしまう場合がある。
【００２２】
これに対し、本実施形態の端末装置１は、他装置から受信したＤＴＭＦ信号を、自装置のスピーカ２２に出力させ、これをマイクロフォン２４で集音し、ＤＴＭＦ判定および解釈を行うことにより、疑似的に再度の遠隔操作を受けた状態を作り出すことができる。これによって、本実施形態の端末装置１は、利便性を向上させることができる。
【００２３】
他装置から受信したＤＴＭＦ信号は、例えば電話帳に短縮ダイヤルが付されて登録される。この短縮ダイヤルが操作されると、通常の電話の発呼に代えてＤＴＭＦ信号がスピーカ２２から出力される。なお、電話の通話中に短縮ダイヤルが操作された場合、通話相手の電話機にＤＴＭＦ信号が送信されてよい。
【００２４】
［処理フロー］
以下、このような遠隔操作の再生に関する処理の流れについて説明する。図３は、第１実施形態に係る端末装置１により実行される処理の流れを示すフローチャートの一例である。図３のフローチャートの処理は、例えば所定周期で繰り返し実行される。
【００２５】
まず、ＤＴＭＦ判定部４０が、無線通信部１０から入力された信号に基づく音声と、マイクロフォン２４に入力された音声のいずれかにおいて、ＤＴＭＦ信号を検知したか否かを判定する（ステップＳ１００）。ＤＴＭＦ判定部４０がＤＴＭＦ信号を検知しなかった場合、本フローチャートの１ルーチンが終了する。
【００２６】
ＤＴＭＦ判定部４０がＤＴＭＦ信号を検知した場合、ＤＴＭＦ解釈部４２が信号を解釈して制御信号を生成し、制御部４６に出力する（ステップＳ１０２）。制御部４６は、これを受けて制御を実行する（ステップＳ１０４）。
【００２７】
次に、電話帳登録部４４が、制御が実行された基となったＤＴＭＦ信号（今回受信したＤＴＭＦ信号）が、電話帳に登録されているか否かを判定する（ステップＳ１０６）。今回受信したＤＴＭＦ信号が既に電話帳に登録されている場合、本フローチャートの１ルーチンが終了する。
【００２８】
今回受信したＤＴＭＦ信号が電話帳に登録されていない場合、電話帳登録部４４は、制御部４６を介して表示部３２に、今回の遠隔操作による制御を電話帳に登録するか否かを尋ねる表示を行わせる（ステップＳ１０８）。そして、電話帳登録部４４は、操作部３０に対して「登録する」意思を示すユーザの操作がなされたか否かを判定する（ステップＳ１１０）。操作部３０に対して「登録する」意思を示すユーザの操作がなされた場合、電話帳登録部４４は、今回受信したＤＴＭＦ信号を、例えば短縮ダイヤルを付して電話帳に登録する（ステップＳ１１２）。電話帳に登録されたＤＴＭＦ信号には、例えば電話の発呼とは異なるものである付加情報が付与されてもよい。図４は、ＤＴＭＦ信号が登録された電話帳の表示画面の一例を示す図である。図４に示すように、例えば電話帳の短縮ダイヤル一覧の中に、ＤＴＭＦ信号を発信する項目が、通常の電話番号と混在して登録される。その項目には、ＤＴＭＦ信号によって実現される制御の内容が表示されてよい。また、図４に示す態様に限らず、電話帳において例えば「ＤＴＭＦ制御」のようなグループ名でグループ登録され、そのグループが選択されると、ＤＴＭＦ信号を発信する項目の一覧が表示されるようにしてもよい。
【００２９】
以上説明した処理によって電話帳にＤＴＭＦ信号が登録され、後にユーザが該当する短縮ダイヤルを操作すると、受信したものと同じＤＴＭＦ信号が生成されてスピーカ２２により出力される。なお、ユーザが該当する短縮ダイヤルを操作すると、ＤＴＭＦ信号を生成せずに、単にＤＴＭＦ信号が解釈された場合と同じ制御が行われるようにソフトウェア上で（或いはハードウェア上の仕組みで）設定されてもよい。
【００３０】
図５は、第１実施形態に係る端末装置１により実行される処理の流れを示すフローチャートの一例である。図５のフローチャートは、例えば、電話帳の短縮ダイヤル画面が表示されたときに開始され、下記の終了条件を満たす場合の他、短縮ダイヤル画面が閉じられたときに強制的に終了する。
【００３１】
まず、制御部４６は、短縮ダイヤルのうちＤＴＭＦ信号の発信が選択されるまで待機する（ステップＳ１５０）。ＤＴＭＦ信号の発信が選択されると、制御部４６は、該当するＤＴＭＦ信号を生成し（ステップＳ１５２）、スピーカ２２に出力させ（ステップＳ１５４）、本フローチャートを終了する。ここで、上記したように、ＤＴＭＦ信号を生成せずに、単にＤＴＭＦ信号が解釈された場合と同じ制御が行われるようにしてもよい。
【００３２】
スピーカ２２により出力されたＤＴＭＦ信号をマイクロフォン２４が集音すると、ＤＴＭＦ判定部４０によりＤＴＭＦ信号が検知される（図３のステップＳ１００）」。その後は、遠隔操作を受けたときと同じように、信号が解釈されて制御信号が生成され（ステップＳ１０２）、制御が実行される（ステップＳ１０４）。この場合、次のステップＳ１０６では、「既に電話帳に登録されている」と判定され、フローチャートの１ルーチンが終了する。なお、必ずしも遠隔操作時と、その再生時の処理を共通の手順で行うことに限定されず、それぞれについて独自の手順が行われてもよい。
【００３３】
［まとめ］
以上説明した本実施形態の端末装置１およびその制御プログラムによれば、ユーザの操作に応じて、ＤＴＭＦ信号に基づく自装置に対する制御信号を生成することができる。この結果、本実施形態の端末装置１は、他装置からＤＴＭＦ信号による遠隔操作を受けて制御を行った後に、同じ制御を再現することができる。これによって、本実施形態の端末装置１は、利便性を向上させることができる。また、遠隔操作元のコールセンターにおいては、同じような内容で問い合わせが集中するのを回避することができる。
【００３４】
＜第２実施形態＞
以下、第２実施形態に係る端末装置２について説明する。第２実施形態に係る端末装置２の構成については、第１実施形態の端末装置１と同様でよく、従って図２を援用して個別の説明を省略する。なお、第２実施形態に係る端末装置２において、ＤＴＭＦ判定部４０、ＤＴＭＦ解釈部４２、およびＤＴＭＦ対応表記憶部５２は省略しても構わない。
【００３５】
第２実施形態に係る端末装置２は、自装置で行われた特定の制御を、電話帳に短縮ダイヤルを付して登録することができる。特定の制御とは、テザリングなどの機能を実行する制御など、複数のステップを実行する必要があるため、手動で行うとユーザの操作が煩雑または難解となる制御である。
【００３６】
これに対して第２実施形態の端末装置２は、操作部３０に対して新たな操作が行われる度に、その操作を電話帳に登録するか否かをユーザに尋ね、ユーザが登録する意思を示す操作をした場合に、操作を電話帳に登録する。この結果、ユーザは、一度操作を行った後は、いつでも同じ操作内容を簡易な操作で再現させることができる。これによって、端末装置２は、利便性を向上させることができる。なお、電話帳に登録可能な操作は、全ての操作とするのではなく、予め、操作が煩雑または難解なものに絞り込んでもよい。
【００３７】
図６は、第２実施形態に係る端末装置２により実行される処理の流れを示すフローチャートの一例である。図６のフローチャートの処理は、例えば所定周期で繰り返し実行される。
【００３８】
まず、電話帳登録部４４は、操作部３０に対して特定の操作がなされたか否かを判定する（ステップＳ２００）。操作部３０に対して特定の操作がなされなかった場合、本フローチャートの１ルーチンが終了する。
【００３９】
操作部３０に対して特定の操作がなされた場合、電話帳登録部４４は、該当する操作が既に電話帳に登録されているか否かを判定する（ステップＳ２０２）。該当する操作が既に電話帳に登録されている場合、本フローチャートの１ルーチンが終了する。
【００４０】
該当する操作が既に電話帳に登録されていない場合、電話帳登録部４４は、制御部４６を介して表示部３２に、今回の操作を電話帳に登録するか否かを尋ねる表示を行わせる（ステップＳ２０４）。そして、電話帳登録部４４は、操作部３０に対して「登録する」意思を示すユーザの操作がなされたか否かを判定する（ステップＳ２０６）。操作部３０に対して「登録する」意思を示すユーザの操作がなされた場合、電話帳登録部４４は、今回の操作を、例えば短縮ダイヤルを付して電話帳に登録する（ステップＳ２０８）。
【００４１】
以上説明した処理によって電話帳に特定の操作が登録され、後にユーザが該当する短縮ダイヤルを操作すると、一度行ったのと同じ操作が行われたものとみなされ、操作に応じた制御が実行される。この結果、ユーザは、以前に行った操作よりも簡易な操作によって同じ制御を端末装置２に行わせることができる。
【００４２】
以上説明した第２実施形態の端末装置２によれば、ユーザが、一度操作を行った後、いつでも同じ操作内容を簡易な操作で再現させることができる。これによって、端末装置２は、利便性を向上させることができる。
【００４３】
なお、第１実施形態と第２実施形態は排他的な関係に無く、端末装置が両者の機能を併せ持つことも可能である。
【００４４】
＜ハードウェア構成など＞
上記した各実施形態における端末装置１、２は、内部にコンピュータシステムを有している。「コンピュータシステム」は、ＣＰＵ（Central  Processing  Unit）、ＲＡＭ等のメモリ装置、ＲＯＭ、ＨＤＤ、フラッシュメモリ等の記憶装置（記憶部５０）、記憶媒体を装着可能なドライブ装置、周辺機器等のハードウェアを含むものである。
【００４５】
そして、前述した端末装置１、２の、ＤＴＭＦ判定部４０、ＤＴＭＦ解釈部４２、電話帳登録部４４、および制御部４６の動作の過程は、例えば、プログラムの形式でコンピュータ読み取り可能な記録媒体に記憶されており、このプログラムをコンピュータシステムが読み出して実行することによって、上記処理が行われる。なお、上記各機能部の処理が、全てプログラムを実行することによって行われる必要は無く、一部の機能部は、ＩＣ（Integrated  Circuit）やＬＳＩ（Large  Scale  Integration）などのハードウェアによって実現されてもよい。
【００４６】
「コンピュータ読み取り可能な記録媒体」とは、フレキシブルディスク、光ディスク、光磁気ディスク、ＲＯＭ、ＣＤ−ＲＯＭ等の可搬媒体、コンピュータシステムに内蔵されるＨＤＤ等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【００４７】
また上記プログラムは、前述した機能の一部を実現するためのものであっても良く、更に、前述した機能を、コンピュータシステムにすでに記録されているプログラムとの組み合わせで実現できるものであっても良い。
【００４８】
以上、本発明を実施するための形態について実施形態を用いて説明したが、本発明はこうした実施形態に何等限定されるものではなく、本発明の要旨を逸脱しない範囲内において種々の変形及び置換を加えることができる。
【００４９】
例えば、上記実施形態では、ＤＴＭＦ信号を解釈して端末装置１に対する制御信号を生成したときに、制御信号を再度生成するための情報を記憶部に記憶させることの一例として、電話帳の短縮ダイヤルに登録することを例示したが、これに限らず、他の態様で制御信号を再度生成するための情報を記憶部５０に記憶させてもよい。
【符号の説明】
【００５０】
１‥端末装置、１０‥無線通信部、２０‥通話部、２２‥スピーカ、２４‥マイクロフォン、３０‥操作部、３２‥表示部、４０‥ＤＴＭＦ判定部、４２‥ＤＴＭＦ解釈部、４４‥電話帳登録部、４６‥制御部、５０‥記憶部、５２‥ＤＴＭＦ対応表記憶部、５４‥電話帳データ記憶部、８０‥無線基地局、８５‥交換機、９０‥電話機
【図１】
2014165744.tif 000003
【図２】
2014165744.tif 000004
【図３】
2014165744.tif 000005
【図４】
2014165744.tif 000006
【図５】
2014165744.tif 000007
【図６】
2014165744.tif 000008